(57)【要約】【課題】１枚の印刷文書において、埋め込まれた情報の読み取り、偽造及び改竄の検出の機能、並びに複写の牽制の機能が充分に発揮にされるようにする。【解決手段】牽制デザイン１１により定められたデザインから、所定の位置、大きさ、色を有する牽制点からなる牽制画像１３を生成する。一方、文書付地紋透かし画像１２から、一部の地紋点を除去した除去後地紋透かし画像１４を生成する。この牽制画像１３と除去後地紋透かし画像１４を合成して合成画像１５を生成する。合成画像１５として出力された印刷文書は、地紋透かしの効果及び牽制の効果の両効果が互いに干渉することなく、埋め込まれた情報の読み取り、偽造及び改竄の検出の機能、並びに複写の牽制の機能が充分に発揮にされた非常にセキュリティの高い印刷文書である。【選択図】図１
2008244699.tif 000002
【特許請求の範囲】
【請求項１】
印刷文書に印刷される地紋点の位置を定める地紋点位置情報、前記地紋点が印刷される領域を定める地紋点領域情報及び前記地紋点からなる地紋透かし画像を含む地紋情報を記憶する地紋情報記憶手段と、
印刷文書に印刷される牽制点の位置を定める牽制点位置情報、前記牽制点が印刷される領域を定める牽制点領域情報及び牽制デザインを含む牽制情報を記憶する牽制情報記憶手段と、
前記地紋情報及び前記牽制情報を読み出し、前記地紋点領域情報及び前記牽制点領域情報を参照して、前記地紋点が印刷される領域及び前記牽制点が印刷される領域が重複する領域を特定する重複領域特定手段と、
前記地紋情報を読み出し、前記地紋点位置情報及び前記地紋透かし画像を参照して、前記地紋透かし画像において前記重複した領域内に位置する地紋点を除去する地紋点除去手段と、
前記牽制情報を読み出し、前記牽制点位置情報及び前記牽制デザインを参照して、前記牽制点からなる牽制画像を生成する牽制画像生成手段と、
前記除去がなされた地紋透かし画像及び前記牽制画像を合成する画像合成手段と、
を有することを特徴とする画像処理装置。
【請求項２】
前記牽制点は、消失点であることを特徴とする請求項１に記載の画像処理装置。
【請求項３】
画像処理装置のコンピュータを、
印刷文書に印刷される地紋点の位置を定める地紋点位置情報、前記地紋点が印刷される領域を定める地紋点領域情報及び前記地紋点からなる地紋透かし画像を含む地紋情報を記憶する地紋情報記憶手段と、
印刷文書に印刷される牽制点の位置を定める牽制点位置情報、前記牽制点が印刷される領域を定める牽制点領域情報及び牽制デザインを含む牽制情報を記憶する牽制情報記憶手段と、
前記地紋情報及び前記牽制情報を読み出し、前記地紋点領域情報及び前記牽制点領域情報を参照して、前記地紋点が印刷される領域及び前記牽制点が印刷される領域が重複する領域を特定する重複領域特定手段と、
前記地紋情報を読み出し、前記地紋点位置情報及び前記地紋透かし画像を参照して、前記地紋透かし画像において前記重複した領域内に位置する地紋点を除去する地紋点除去手段と、
前記牽制情報を読み出し、前記牽制点位置情報及び前記牽制デザインを参照して、前記牽制点からなる牽制画像を生成する牽制画像生成手段と、
前記除去がなされた地紋透かし画像及び前記牽制画像を合成する画像合成手段と、
として機能させることを特徴とする画像処理プログラム。
【請求項４】
ピクセル単位の画像情報としての地紋透かし画像情報、及びピクセル単位の画像情報としての牽制デザイン画像情報を記憶する記憶部と、情報処理を行う処理部とを備えたコンピュータを、画像処理装置として機能させる画像処理プログラムであって、
前記処理部に、
前記記憶部から、前記地紋透かし画像情報、及び前記牽制デザイン画像情報を読み出させる処理と、
前記読み出させた地紋透かし画像情報における基準となるピクセル、及び前記読み出せた牽制デザイン画像情報における基準となるピクセルを、それぞれ基準点として決定させる処理と、
前記基準点を起点に各ピクセルを走査し、プリンタにて印刷されるピクセルが、前記地紋透かし画像情報、及び前記牽制デザイン画像情報にて前記基準点を基準とした同じ位置に重複して存在するか否かを判定する処理と、
前記重複して印刷されるピクセルが同じ位置に存在するときは、当該ピクセルを着目ピクセルとして、地紋透かし画像情報における当該着目ピクセルの近隣のピクセルを調べ、当該着目ピクセルが地紋点の一部であるか否か、及び当該着目ピクセルを含む地紋点を構成する一纏まりの複数のピクセルであるか否かを判定する処理と、
前記判定にて地紋点とされた一纏まりの複数のピクセルを、プリンタには印刷されないピクセルとする処理と、を実行させて、前記地紋透かし画像情報を修正させ、
前記走査が終了すると、前記基準点に基づいて前記修正した地紋透かし画像情報、及び牽制デザイン画像情報を合成した印刷用の画像情報を生成させる処理と、
を実行させること
を特徴とする画像処理プログラム。
【請求項５】
前記地紋透かし画像情報を修正させる場合、前記走査が終了した時に、前記地紋点とされた一纏まりの複数のピクセルを、まとめて前記プリンタには印刷されないピクセルとする処理と、
を実行させること
を特徴とする請求項４に記載の画像処理プログラム。
【発明の詳細な説明】
【技術分野】
【０００１】
本発明は、地紋透かし技術および牽制技術を用いた画像処理装置等に関する。
【背景技術】
【０００２】
印刷文書の全体に地紋点からなる地紋透かし画像を印刷して、印刷文書に任意の情報を埋め込んだり、埋め込んだ情報を用いて偽造及び改竄を検出したりする地紋透かし技術については、例えば、特許文献１に開示されている。一方、残存点又は消失点といった牽制点からなる牽制画像を印刷し、印刷文書の複写を牽制する牽制技術に関しては、例えば、特許文献２に開示されている。
【特許文献１】特開２００５−２８６９６３号公報
【特許文献２】特開２００４−２０９８７１号公報
【発明の開示】
【発明が解決しようとする課題】
【０００３】
１枚の印刷文書に対し、地紋透かし画像を印刷し、かつ、牽制画像を印刷することには困難を伴う。印刷文書の全領域のうち牽制画像を施した領域には地紋点が存在しており、当該領域において牽制点を構成するピクセルと地紋点を構成するピクセルが混在している状態が出来上がる。このため、スキャナで印刷文書を読み込むときに、その混在した領域内の地紋点が地紋点としてきちんと抽出されず、埋め込まれた情報の読み取り、並びに偽造及び改竄の検出といった機能が十分に発揮されなくなる可能性がある。また、コピー機で印刷文書を複写したときに、牽制画像には地紋点も存在しているため、牽制画像の視覚的な影響が生じ、牽制の機能が十分に発揮されなくなる可能性がある。具体的には、牽制画像が消失点で構成されているのに地紋点と干渉してうまく消失しないので、牽制の機能が充分に発揮されなくなる。
【０００４】
そこで、本発明では、前記した問題を解決し、地紋透かしの機能と牽制の機能が充分に発揮されるようにすることを課題とする。
【課題を解決するための手段】
【０００５】
前記課題を解決するため、本発明では、印刷文書に地紋透かし画像及び牽制画像が印刷される際に、牽制画像が印刷される領域に存在する地紋点を除去する画像処理を施し、その除去した領域において牽制点を印刷することを特徴とする。かかる特徴により、当該領域において、牽制点を構成するピクセルと地紋点を構成するピクセルが混在することがなくなる。
【発明の効果】
【０００６】
本発明により、地紋透かしの機能と牽制の機能が充分に発揮されるようにすることができる。
【発明を実施するための最良の形態】
【０００７】
以下、本発明の画像処理装置及び画像処理プログラムを実施するための最良の形態（以下、「実施形態」という。）について、図面を参照しながら説明する。
【０００８】
１．概略
本実施形態の画像処理装置は、印刷文書に存在する地紋点を一部除去して、その除去した領域に牽制点を配置し、地紋透かしの効果及び牽制の効果の両効果を備えた非常にセキュリティの高い印刷文書を作成する。まず、その印刷文書の作成に関する概略を説明する。図１は、本実施形態の画像処理装置により生成される印刷文書の作成手順について図示したものである。図１には、牽制デザイン１１、文書付地紋透かし画像１２、牽制画像１３、除去後地紋透かし画像１４及び合成画像１５が図示されている。
なお、牽制点には、消失点と残存点があり、その大きさは、残存点がコピー機で読み取れる３００ｄｐｉ(dot per inch)、消失点がコピー機では読み取れない６００ｄｐｉである。また、地紋点は、コピー機やスキャナで読み取れる３００ｄｐｉである。このようなピクセルの文書を６００ｄｐｉのプリンタで印刷することで、印刷した文書における６００ｄｐｉの部分（消失点）は３００ｄｐｉ程度の解像度のコピー機では読み取れず、消失する。一方、印刷した文書における３００ｄｐｉの部分（残存点と地紋点）は３００ｄｐｉ程度の解像度のコピー機で読み取れるのでそのままコピー（複写）される。但し、コピー機やスキャナの読み取り精度等は今後変化する可能性があるので、牽制点や地紋点については、各々の機能を損なうことのないように、その大きさを、コピー機やスキャナの読み取り精度等に応じて適宜設計変更することが好ましい。
【０００９】
牽制デザイン１１は、牽制印刷に用いられることになる牽制用の文字、図形等のデザインを定めた画像である。文書付地紋透かし画像１２は、所定の位置、大きさ、色を有する地紋点が配置され、かつ、印刷文書として出力される文書内容を定めた文書情報が定められた画像である。
【００１０】
牽制画像１３は、牽制デザイン１１により定められたデザインを、所定の位置、大きさ、色を有する牽制点から構成した画像である。この牽制画像１３は、牽制デザイン１１に対し、所定の変換条件を用いることにより生成される。除去後地紋透かし画像１４は、文書付地紋透かし画像１２において、一部の地紋点を除去した画像である。この除去後地紋透かし画像１４は、文書付地紋透かし画像１２を牽制デザイン１１と重ね、牽制デザイン１１のデザインが画像全体において占めることになる領域内に存在している地紋点を判定し、除去することで生成される。
【００１１】
合成画像１５は、牽制画像１３と除去後地紋透かし画像１４を合成した画像である。この合成画像１５は、地紋点が除去された領域に牽制点が配置されることで生成される。合成画像１５を用いてプリンタから出力すると、地紋透かしの効果及び牽制の効果の両効果を備えた印刷文書が作成される。印刷及びコピーをすると、「原本」という文字は消失点で印刷されているので、「原本」という文字は消える。
【００１２】
２．画像処理装置の構成
上記合成画像を生成する画像処理装置の内部構成について説明する。図２は、本実施形態の画像処理装置としてのパーソナルコンピュータ（以下、「ＰＣ(Personal Computer)」という。）の本体の内部構成及びその周辺装置について図示したものである。ＰＣ本体１０１の周辺装置として、入力装置としてのキーボード１０２及びマウス１０３、表示装置としてのディスプレイ１０４並びに印刷出力装置としてのプリンタ１０５がＰＣ本体１０１に接続されている。また、ＰＣ本体１０１の内部には、Ｉ／Ｆ（インターフェイス）部１０６、ＲＯＭ(Read Only Memory)１０７、ＲＡＭ(Random Access Memory)１０８、ＣＰＵ(Central Processing Unit)１０９、メモリ１１０が備えられている。メモリ１１０には、ＯＳ(Operating System)１１１、プリンタドライバ１１２、画像処理部１１３、牽制情報記憶部１１４、地紋情報記憶部１１５、文書情報記憶部１１６が備えられている。
【００１３】
Ｉ／Ｆ部１０６は、周辺装置であるキーボード１０２、マウス１０３、ディスプレイ１０４及びプリンタ１０５と接続するための端子の形状及び情報の伝送方式が定められた装置である。ＲＯＭ１０７は、読み出し専用のプログラムを記憶した記憶装置である。周辺装置のインターフェイス処理を行うルーチンの集まりであるＢＩＯＳ(Basic Input-Output System)に用いられるプログラムも記憶されている。ＲＡＭ１０８は、情報を展開するための記憶領域を有し、情報の読み出し及び書き込み可能な記憶装置である。ＣＰＵ１０９はＰＣ本体１０１の中央処理装置である。数値計算、画像処理、周辺機器制御等に必要な情報の演算又は加工を行う。
【００１４】
メモリ１１０はＣＰＵ１０９が直接アクセスすることの可能な記憶装置である。ＯＳ１１１は、コンピュータのハードウェアとソフトウェアを総合的に管理するプログラムである。ＲＯＭ１０７からＢＩＯＳに用いられるプログラムを読み出して周辺装置も管理する。プリンタドライバ１１２は、コンピュータでプリンタ１０５を制御するためのプログラムである。画像処理部１１３は、画像情報に基づいた画像処理、特に、牽制画像や地紋透かし画像に関する画像情報に基づいた画像処理を制御するためのプログラムである。
【００１５】
牽制情報記憶部１１４は、牽制画像の印刷について定めた牽制情報を記憶したメモリ１１０の一部領域である。地紋情報記憶部１１５は、地紋透かし画像の印刷について定めた地紋情報を記憶したメモリ１１０の一部領域である。文書情報記憶部１１６は、文書画像の印刷について定めた文書情報を記憶したメモリ１１０の一部領域である。文書情報において、文字、図形及び罫線等の印刷内容並びに印刷内容の解像度、色及びファイル形式その他のファイル保存に関する設定値等が関連付けられている。
【００１６】
画像処理部１１３は、牽制情報記憶部１１４、地紋情報記憶部１１５及び文書情報記憶部１１６からそれぞれ牽制情報、地紋情報及び文書情報を読み出し、ＣＰＵ１０９に後記する所定の画像処理を実行させる。
【００１７】
３．情報の構造について
牽制情報記憶部１１４に記憶されている牽制情報及び地紋情報記憶部１１５に記憶されている地紋情報について説明する。図３は、牽制情報記憶部１１４に記憶されている牽制情報の構造を表として図示したものである。また、図４は、地紋情報記憶部１１５に記憶されている地紋情報の構造を表として図示したものである。
【００１８】
３．１．牽制情報の構造
図３に図示した表において、各カラムは、左から順に、管理番号３０１、牽制デザイン３０２、保存形式３０３及び変換条件３０４を表している。保存形式３０３は、解像度３０５、色３０６及びファイル形式３０７から構成されている。変換条件３０４は変換箇所数３０８、編集範囲３０９及び牽制点パターン３１０から構成されている。
【００１９】
管理番号３０１では、牽制デザイン３０２、保存形式３０３及び変換条件３０４の組み合わせを管理する番号が定められる。生成される１つの牽制画像に対して、１つの管理番号が割り当てられる。本実施形態では牽制情報記憶部１１４への登録順に管理番号３０１を割り当てていくものとする。
【００２０】
牽制デザイン３０２では、複写機において、印刷文書を複写したときに残存したり消失したりする牽制デザインが定められている。
なお、牽制デザイン３０２では、「原本」というデザインは、例えば消失点で構成される。一方、「ＣＯＰＹ」というデザインは、プリンタで印刷した印刷物を複写機で複写したときに、印刷物では見えなかった「ＣＯＰＹ」というデザインを複写物では見えるように浮かび上がらせるため、例えば、（１）背景を消失点で、文字部分を残存点で構成し、あるいはその逆に、（２）背景を残存点で、文字部分を消失点で構成する。ちなみに、この「ＣＯＰＹ」のように牽制デザイン３０２を残存点及び消失点で構成する場合、地紋点と残存点及び地紋点と消失点が干渉して、地紋透かしの機能が損なわれないように、用紙の一部の領域に適用される。つまり、用紙の全体にわたって背景として残存点や消失点を施すのは、特に地紋透かしの機能が発揮できないおそれがあるので好ましくない。
ちなみに、地紋透かしの機能が発揮される範囲内で用紙の一部に消失点と残存点を施すことで、複写すると文字（図形）が見えなくなる（消失する）、「原本」といったような牽制デザイン３０２を構成することもできる。
以下の例では、牽制デザイン３０２の「原本」は、複写すると見えなくなる（消失する）消失点で構成するものとして説明を続ける。
【００２１】
保存形式３０３では、牽制情報のファイル保存に関する設定値が定められる。解像度３０５では、生成される牽制画像の解像度の設定値が定められる。解像度の設定値としては、例えば、ｄｐｉを用いたものがある。色３０６では、牽制画像の色の設定値が定められる。色の設定値としては、例えば、Ｒ(Red)Ｇ(Green)Ｂ(Blue)値を用いたものがある。ファイル形式３０７では、牽制情報のファイルの種類に関する設定値が定められる。
【００２２】
変換条件３０４では、牽制情報の牽制デザインから牽制画像に変換するための条件に関する設定値が定められる。変換箇所数３０８では、牽制画像が印刷され得る印刷文書の全領域を分割した場合に、分割した領域のうち、牽制デザインから牽制画像への変換を同時に行う領域の個数の設定値が定められる。編集範囲３０９では、牽制デザインから牽制画像への変換を行う領域の設定値が定められる。変換箇所数３０８で設定した個数だけ、当該領域の設定値として同時に定めることが可能である。
【００２３】
牽制点パターン３１０では、牽制点の描画方式に関する設定値が定められる。描画方式に関する設定値としては、印刷文書に印刷される牽制点の位置、牽制点が印刷される領域、牽制点を規則的若しくは不規則的に配置すること、又は牽制点を描画する間隔、牽制点１点の大きさその他の牽制点の描画密度を定める設定値等といったものがあげられる。牽制点の位置は、例えば、印刷文書の画像を構成するピクセルの領域座標で定められる牽制点位置情報である。領域座標とは、印刷文書の画像の横方向及び縦方向に格子状に区切ることにより多数のマス目を構成し、各マス目を１つのピクセルとして取り扱った場合に、そのピクセルが占める領域を規定する座標である。本実施形態では、画像左上の頂点を基準にして、横方向にｉ番目、縦方向にｊ番目に位置する領域座標のピクセルをＰ（ｉ、ｊ）と表記する場合がある。
牽制点が印刷される領域とは、印刷文書に印刷される画像において牽制点が占めることになる範囲であり、牽制点領域情報として定められる。一般的には、牽制点が印刷される領域は、牽制デザインが描画される領域と一致する。つまり、牽制デザインが描画される領域内に多数の牽制点を配置していくことにより牽制画像が生成されるということである。
牽制点１点の大きさを調整することにより、複写時に残る残存点であるか複写時に消える消失点であるか決定される。ただし、その決定においては解像度３０５も考慮される。
【００２４】
管理番号３０１が「００１」の牽制情報について説明すると、牽制デザイン３０２は「原本」であり、保存形式３０３のうち、解像度３０５は「６００」であり、色３０６は「黒」であり、ファイル形式３０７は「ｊｐｇ」である。これは、「原本」という牽制デザインが６００ｄｐｉという解像度で、黒色で、「ｊｐｇ」というファイル形式で保存されていることを意味している。また、変換条件３０４のうち、変換箇所数３０８は「１」であり、編集範囲３０９は「全体」であり、牽制点パターン３１０は「Ｐ１」である。これは、「原本」という牽制デザインが牽制画像に変換されるときに、印刷文書の全領域に１箇所だけ、「Ｐ１」という牽制点パターンに従うことを意味する。なお、牽制点パターンＰ１における牽制点１点の大きさは、１点分のピクセルに相当するものとする。
【００２５】
また、管理番号３０１が「００２」の牽制情報について説明すると、牽制デザイン３０２は「ＣＯＰＹ」であり、保存形式３０３のうち、解像度３０５は「６００」であり、色３０６は「青」であり、ファイル形式３０７は「ｊｐｇ」である。これは、「ＣＯＰＹ」という牽制デザインが６００ｄｐｉという解像度で、青色で、「ｊｐｇ」というファイル形式で保存されていることを意味している。また、変換条件３０４のうち、変換箇所数３０８は「Ｎ」であり、編集範囲３０９は「Ａ１、Ａ２、Ａ３、・・・、ＡＮ」であり、牽制点パターン３１０は「Ｐ３、Ｐ１、Ｐ２、・・・、ＰＮ」である。これは、「ＣＯＰＹ」という牽制デザインが牽制画像に変換されるときに、牽制画像が印刷され得る印刷文書の全領域をＡ１、Ａ２、Ａ３、・・・、ＡＮというＮ箇所の領域に分割し、各領域においてＰ３、Ｐ１、Ｐ２、・・・、ＰＮという牽制点パターンに従うことを意味する。編集範囲と牽制点パターンの対応関係は適宜設計変更することが可能である。なお、これらの牽制点パターンにおいて、「ＣＯＰＹ」という文字部分を残存点で構成するために、文字部分の牽制点１点の大きさを、４点分（＝２×２）のピクセル（つまり、３００ｄｐｉ）に相当するものとし、背景部分を消失点で構成するために、背景部分の牽制点１点の大きさを、１点分（＝１×１）のピクセル（つまり、６００ｄｐｉ）に相当するものとする。
【００２６】
３．２．地紋情報の構造
図４に図示した表において、各カラムは、左から順に、管理番号４０１、地紋透かし画像４０２、埋め込み情報４０３、保存形式４０４及び埋め込み条件４０５を表している。保存形式４０４は、解像度４０６、色４０７及びファイル形式４０８から構成されている。埋め込み条件４０５は情報埋め込み領域４０９及び地紋点パターン４１０から構成されている。
【００２７】
管理番号４０１では、地紋透かし画像４０２、埋め込み情報４０３、保存形式４０４及び埋め込み条件４０５の組み合わせを管理する番号が定められる。生成される１つの地紋透かし画像に対して、１つの管理番号が割り当てられる。本実施形態では地紋情報記憶部１１５への登録順に管理番号４０１を割り当てていくものとする。
【００２８】
地紋透かし画像４０２では、印刷文書に特定の配置で地紋点を描画することで、視覚的には観念できない任意の情報を埋め込ませた画像が定められる。スキャナで読み込むときに地紋点の配置を読み込み、埋め込まれた情報が読み取られる。なお、地紋透かし画像は地紋情報に関する画像だけでなく、文書情報に関する印刷内容の画像を含んでいても良い。
【００２９】
埋め込み情報４０３では、地紋透かし画像に埋め込まれる情報が定められる。埋め込まれる情報の代表的なものには、印刷文書の偽造・改竄を検知するための偽造・改竄検知情報がある。偽造・改竄検知情報は印刷日時、印刷者及び文書データ属性について定めた属性情報、文書内容、並びに電子署名等を備えている。
【００３０】
保存形式４０４では、地紋情報のファイル保存に関する設定値が定められる。解像度４０６では、生成される地紋透かし画像の解像度の設定値が定められる。解像度の設定値としては、例えば、ｄｐｉを用いたものがある。色４０７では、地紋透かし画像の色の設定値が定められる。色の設定値としては、例えば、ＲＧＢ値を用いたものがある。ファイル形式４０８では、地紋情報のファイルの種類に関する設定値が定められる。
【００３１】
埋め込み条件４０５では、地紋透かし画像に埋め込み情報を埋め込むための条件に関する設定値が定められる。情報埋め込み領域４０９では、地紋透かし画像が印刷され得る印刷文書の全領域を所定の単位領域に分割した場合に、その単位領域に関する設定値が定められる（単位領域については特許文献１を参照。）。
【００３２】
地紋点パターン４１０では、地紋点の描画方式に関する設定値を定められる。描画方式に関する設定値としては、印刷文書に印刷される地紋点の位置、地紋点が印刷される領域、指定した単位領域内に地紋点を配置すること、又は地紋点を描画する間隔、地紋点１点の大きさその他の地紋点の描画密度を定める設定値等といったものがあげられる。地紋点の位置は、例えば、印刷文書の画像を構成するピクセルＰ（ｉ、ｊ）で定められる地紋点位置情報である。
地紋点が印刷される領域とは、印刷文書に印刷される画像において地紋点が占めることになる範囲であり、地紋点領域情報として定められる。一般的には、地紋点が印刷される領域は、印刷文書の全領域と一致する。つまり、印刷文書の全領域内に多数の地紋点を配置していくことにより地紋透かし画像が生成されるということである。
【００３３】
管理番号４０１が「００１」の地紋情報について説明すると、地紋透かし画像４０２は「Ｉ１」であり、埋め込み情報４０３は「偽造・改竄検知情報Ｊ１」であり、保存形式４０４のうち、解像度４０６は「６００」であり、色４０７は「黒」であり、ファイル形式４０８は「ｊｐｇ」である。これは、「Ｉ１」という地紋透かし画像が６００ｄｐｉという解像度で、地紋点を黒色で、「ｊｐｇ」というファイル形式で保存されていることを意味している。また、埋め込み条件４０５のうち、情報埋め込み領域４０９は「単位領域Ｂ１〜ＢＮ」であり、地紋点パターン４１０は「Ｑ１」である。これは、「Ｉ１」という地紋透かし画像に「偽造・改竄検知情報Ｊ１」という埋め込み情報を埋め込む場合に、印刷文書の全領域を「単位領域Ｂ１〜ＢＮ」に分割し、分割したその領域に地紋点を配置するときに「Ｑ１」という地紋点パターンに従うことを意味する。なお、地紋点パターンＱ１における地紋点１点の大きさは、４点分（＝２×２）のピクセル（つまり、３００ｄｐｉ）に相当するものとする。
【００３４】
管理番号４０１が「００２」の地紋情報について説明すると、地紋透かし画像４０２は「Ｉ２」であり、埋め込み情報４０３は「偽造・改竄検知情報Ｊ２」であり、保存形式４０４のうち、解像度４０６は「６００」であり、色４０７は「黄」であり、ファイル形式４０８は「ｊｐｇ」である。これは、「Ｉ２」という地紋透かし画像が６００ｄｐｉという解像度で、地紋点を黄色で、「ｊｐｇ」というファイル形式で保存されていることを意味している。また、埋め込み条件４０５のうち、情報埋め込み領域４０９は「単位領域Ｂ１〜ＢＮ」であり、地紋点パターン４１０は「Ｑ２」である。これは、「Ｉ２」という地紋透かし画像に「偽造・改竄検知情報Ｊ２」という埋め込み情報を埋め込む場合に、印刷文書の全領域を「単位領域Ｂ１〜ＢＮ」に分割し、分割したその領域に地紋点を配置するときに「Ｑ２」という地紋点パターンに従うことを意味する。
なお、「００２」の地紋情報を読み出して印刷出力を行えば、黄色の地紋点が印刷されるので、黒色の地紋点に比べてより目立ちにくくなる。よって、地紋点による印刷文書の視覚的な影響が低減されるようになる。しかし、スキャナによる地紋点の読み取り性能は変わらない。
【００３５】
４．画像処理部の構成
画像処理部１１３の詳細について説明する。図５は、画像処理部１１３の機能構成をブロック図として図示したものである。画像処理部１１３は、牽制画像生成部５０１、重複領域特定部５０２、文書付地紋情報生成部５０３、地紋点判定部５０４、地紋点除去部５０５、及び画像合成部５０６を備えて構成されている。
【００３６】
牽制画像生成部５０１は、牽制情報記憶部１１４に記憶されている牽制情報５０７を読み出し、牽制情報５０７に含まれる牽制点位置情報及び牽制デザイン３０２（図３参照）を参照して、牽制点からなる牽制画像を生成する。入力装置（図２のキーボード１０２及びマウス１０３参照）からの操作に従い、その操作に対応する管理番号３０１（図３参照）を抽出し、管理番号３０１に対応する変換条件３０４（図３参照）に従って牽制デザイン３０２から牽制画像５１０を生成する。牽制点は牽制点位置情報に従って配置される。生成された牽制画像５１０は画像合成部５０６に出力される。
【００３７】
文書付地紋情報生成部５０３は、地紋情報記憶部１１５に記憶されている地紋情報５０８及び文書情報記憶部１１６に記憶されている文書情報５０９を読み出し、地紋情報５０８に含まれる地紋透かし画像４０２（図４参照）及び文書情報に含まれる印刷内容を合成した文書付地紋透かし画像を含む文書付地紋情報５１２を生成する。入力装置（図２のキーボード１０２及びマウス１０３参照）からの操作に従い、その操作に対応する印刷内容及び管理番号４０１（図４参照）を抽出し、管理番号４０１に対応する埋め込み条件４０５（図４参照）に従って文書付地紋透かし画像を生成する。地紋点は地紋点位置情報に従って配置される。文書付地紋情報５１２は地紋情報５０８と文書情報５０９が関連付けられた情報であり、文書付地紋透かし画像の解像度、色及びファイル形式等その他のファイル保存に関する設定値等、埋め込み情報、埋め込み条件、並びに印刷内容を含んでいる。生成した文書付地紋情報５１２は重複領域特定部５０２、地紋点判定部５０４及び地紋点除去部５０５に出力される。
【００３８】
重複領域特定部５０２は、牽制情報記憶部１１４に記憶されている牽制情報５０７を読み出し、文書付地紋情報生成部５０３から出力された文書付地紋情報５１２を入力し、文書付地紋情報５１２に含まれる地紋点領域情報及び牽制情報５０７に含まれる牽制点領域情報を参照して、地紋点が印刷される領域及び牽制点が印刷される領域が重複する領域を特定する。特定した領域は重複領域５１１として、地紋点判定部５０４に出力される。
【００３９】
地紋点判定部５０４は、重複領域特定部５０２から出力された重複領域５１１及び文書付地紋情報生成部５０３から出力された文書付地紋情報５１２を入力し、重複領域５１１内に存在するピクセルが地紋点を構成するピクセルであるか否か判定する。重複領域５１１に存在するピクセルは、文書情報の印刷内容を構成するピクセルであるか、地紋透かし画像を構成する地紋点を構成するピクセルであるか、いずれの画像も構成しない無色のピクセルのいずれかである。このうち後記の判定方法（図１２参照）により、重複領域５１１内に存在する地紋点を抽出する。抽出した地紋点は、重複領域内地紋点５１３として地紋点除去部５０５に出力される。
【００４０】
地紋点除去部５０５は、地紋点判定部５０４から出力された重複領域内地紋点５１３及び文書付地紋情報生成部５０３から出力された文書付地紋情報５１２を入力し、地紋点位置情報及び文書付地紋透かし画像を参照して、文書付地紋透かし画像において重複領域５１１内に位置する地紋点を除去する。地紋点を除去した文書付地紋透かし画像は除去後地紋透かし画像５１４として画像合成部５０６に出力される。
【００４１】
画像合成部５０６は、牽制画像生成部５０１から出力された牽制画像５１０及び地紋点除去部５０５から出力された除去後地紋透かし画像５１４を入力し、双方の画像の座標を合わせて地紋点を除去した領域に牽制点が配置された合成画像５１５を生成する。生成された合成画像５１５はプリンタドライバ１１２（図２参照）に出力され、プリンタ１０５（図２参照）による印刷処理が実行される。
【００４２】
５．画像処理部の処理動作
引き続き、画像処理部１１３の詳細について説明する。図６は、画像処理部１１３における処理動作をフローチャートとして図示したものである。なお、この処理動作の説明では、牽制デザインとして、図３に示した管理番号「００１」の「原本」を用いることにする。また、地紋透かし画像として、図４に示した管理番号「００１」の「Ｉ１」を用いることにする。
【００４３】
まず、ステップＳ０１において、地紋情報５０８（図５参照）及び文書情報５０９（図５参照）を用いて文書付地紋透かし画像を生成する。図７は、文書付地紋透かし画像が生成される様子を図示したものである。
【００４４】
図７において、文書情報５０９の印刷内容に係る画像である文書画像１６と、地紋情報５０８に含まれる地紋透かし画像１７とを、互いの領域座標が一致するように重ね合わせる。これにより、文書付地紋透かし画像１２及び当該文書付地紋透かし画像１２を含む文書付地紋情報５１２（図５参照）が生成される。
【００４５】
次に、ステップＳ０２において、牽制情報５０７（図５参照）及び文書付地紋情報５１２（図５参照）を用いて牽制デザイン１１と文書付地紋透かし画像１２の座標を合わせる。図８は、牽制デザイン１１と文書付地紋透かし画像１２の座標を合わせる様子を図示したものである。
【００４６】
図８において、牽制デザイン１１と文書付地紋透かし画像１２について、画像左上の頂点を基準にして両者の画像を合わせる。合わせたその画像を「重ね合わせ画像１８」と呼ぶことにする。重ね合わせ画像１８において、文書付地紋透かし画像１２における一のピクセルＰ（ｉ、ｊ）は、牽制デザイン１１においてＰ（ｉ、ｊ）と定められるピクセルに対応する。
【００４７】
次に、ステップＳ０３において、文書付地紋透かし画像上で処理対象ピクセルが決定される。図９は、重ね合わせ画像１８における文書付地紋透かし画像１２上で処理対象ピクセルＰ（ｉ、ｊ）が決定される様子を図示したものである。この処理対象ピクセルＰ（ｉ、ｊ）の決定というのは、除去すべき地紋点がどのピクセルにあるのかを判定するための決定である。
【００４８】
図９において、文書付地紋透かし画像１２のピクセルには、黒色等の何れかの色に塗りつぶされた有色ピクセル９１と、いずれの色にも塗りつぶされていない無色ピクセル９２とが存在している。有色ピクセル９１は、さらに、地紋点を構成するピクセルと、文字、図形及び罫線等の印刷内容を構成するピクセルとに分類される。従って、処理対象ピクセルＰ（ｉ、ｊ）がこれらのピクセルのいずれに該当するのかが判別されることになる。
【００４９】
処理対象ピクセルＰ（ｉ、ｊ）として、まず、文書付地紋透かし画像１２の左上の頂点、つまり、Ｐ（０、０）が決定される。その後、図９に図示した矢印のように、右方向へ１ピクセルずつ移動して（ｉ→ｉ＋１）文書付地紋透かし画像１２の右上の頂点に到達する。右上の頂点に到達した場合には、下方向へ１ピクセル移動して（ｊ→ｊ＋１）、再度左端から右方向へ１ピクセルずつ移動を開始する。右端に到達したら再度下方向へ１ピクセル移動して再度左端から右方向へ１ピクセルずつ移動を開始する。
【００５０】
以下、処理対象ピクセルＰ（ｉ、ｊ）は順次右方向への移動、下方向への移動を繰り返し、文書付地紋透かし画像１２の右下の頂点に到達していくまで実行される。このような処理対象ピクセルＰ（ｉ、ｊ）の移動（走査処理）において、以下のステップＳ０４〜ステップＳ０８までの処理が行われることにより、除去すべき地紋点がどのピクセルにあるのかということが判定される。
【００５１】
ステップＳ０４において、処理対象ピクセルが牽制デザインの有色部と重なるか否かが判定される。牽制デザインの有色部と重なりは、重複領域特定部５０２（図５参照）にて出力される重複領域５１１（図５参照）から特定される。重ね合わせ画像１８（図８参照）の文書付地紋透かし画像１２における処理対象ピクセルＰ（ｉ、ｊ）が重複領域５１１（図５参照）の内部にあるか否かが判定される。
【００５２】
処理対象ピクセルが牽制デザインの有色部と重なるのであれば（ステップＳ０４でＹｅｓ）、処理対象ピクセルＰ（ｉ、ｊ）が重複領域５１１（図５参照）の内部にあると判定され、ステップＳ０５に進む。処理対象ピクセルが牽制デザインの有色部と重ならないのであれば（ステップＳ０４でＮｏ）、処理対象ピクセルＰ（ｉ、ｊ）が重複領域５１１（図５参照）の内部にないと判定され、ステップＳ０８に進む。
【００５３】
この重なるか否かの判定について、図１０を参照しながら具体的に説明する。図１０は、文書付地紋透かし画像１２に牽制デザイン１１を重ね合わせた重ね合わせ画像１８の斜視図である。
【００５４】
図１０において、地紋点が印刷される領域は文書付地紋透かし画像１２の全体である。また、牽制点が印刷される領域は牽制デザインの有色部、つまり、「原本」というデザインが描画された領域（この例では文字の部分だけ）である。この領域は地紋点が印刷される領域に包含されている。よって、重複領域５１１（図５参照）は「原本」というデザインが描画された領域そのものになる。よって、文書付地紋透かし画像１２にある処理対象ピクセルＰ（ｉ、ｊ）に対応する牽制デザイン１１のピクセルが、「原本」というデザインが描画された領域内に位置すれば、処理対象ピクセルが牽制デザインの有色部と重なることを意味し（ステップＳ０４でＹｅｓ）、ステップＳ０５に進む。もし、文書付地紋透かし画像１２にある処理対象ピクセルＰ（ｉ、ｊ）に対応する牽制デザイン１１のピクセルが、「原本」というデザインが描画された領域内に位置することがなければ、処理対象ピクセルが牽制デザインの有色部と重ならないことを意味し（ステップＳ０４でＮｏ）、ステップＳ０８に進む。
【００５５】
ステップＳ０５において、処理対象ピクセルが有色であるか否かが判定される。重複領域５１１（図５参照）の内部にある処理対象ピクセルＰ（ｉ、ｊ）が黒色等の何れかの色に塗りつぶされた有色ピクセル９１（図９参照）であるか、いずれの色にも塗りつぶされていない無色ピクセル９２（図９参照）であるかが判定される。処理対象ピクセルが有色であれば（ステップＳ０５でＹｅｓ）、有色ピクセル９１（図９参照）と判定され、ステップＳ０６に進む。処理対象ピクセルが有色でなければ（ステップＳ０５でＮｏ）、無色ピクセル９２（図９参照）であると判定され、ステップＳ０８に進む。
【００５６】
この有色であるか否かの判定について、図１１を参照しながら具体的に説明する。図１１は、図１０の重ね合わせ画像１８を白抜きの矢印の方向から見たものであり、（ａ）は、その全体を図示したものであり、（ｂ）は、（ａ）の太枠部分を拡大表示したものを図示したものである。
【００５７】
図１１（ａ）において、ステップＳ０４により定められた地紋点を除去する判定を行う処理対象ピクセルＰ（ｉ、ｊ）は、重複領域５１１（図５参照）であり、「原本」というデザインが描画された領域そのものである。説明の便宜上、（ａ）において重複領域５１１（図５参照）を白色で示し、その領域の輪郭を点線で図示する。
【００５８】
図１１（ｂ）に注目すると、重複領域５１１（図５参照）には有色ピクセル９１（図９参照）として地紋点を構成するピクセル及び印刷内容としての罫線を構成するピクセルが存在することがわかる。処理対象ピクセルＰ（ｉ、ｊ）がこれらの有色ピクセル９１（図９参照）であれば、処理対象ピクセルが有色であると判定され（ステップＳ０５でＹｅｓ）、ステップＳ０６に進む。処理対象ピクセルＰ（ｉ、ｊ）が有色ピクセル９１（図９参照）以外のピクセル、つまり、無色ピクセル９２（図９参照）であれば、処理対象ピクセルが有色でないと判定され（ステップＳ０５でＮｏ）、ステップＳ０８に進む。結果的に、ステップＳ０５により、ステップＳ０６で地紋点の一部であるか否かの判定を行うピクセルが定められる。
【００５９】
ステップＳ０６において、処理対象ピクセルが地紋点の一部であるか否かが判定される。重複領域５１１（図５参照）の内部にあり、有色ピクセル９１（図９参照）である処理対象ピクセルＰ（ｉ、ｊ）が地紋点を構成するピクセルであるか、文字、図形及び罫線等の印刷内容を構成するピクセルであるか判定される。この判定は、地紋点判定部５０４（図５参照）により実行される。処理対象ピクセルが地紋点の一部であれば（ステップＳ０６でＹｅｓ）、ステップＳ０７に進む。処理対象ピクセルが地紋点の一部でなければ（ステップＳ０６でＮｏ）、ステップＳ０８に進む。
【００６０】
図１２は、処理対象ピクセルが地紋点の一部であるか否かを判定するための判定手順について図示したものである。図１２に図示したように、重ね合わせ画像１８における文書付地紋透かし画像１２上の処理対象ピクセルＰ（ｉ、ｊ）に対し、次の（ａ）から（ｄ）の手順を踏む。
【００６１】
まず、（ａ）において、処理対象ピクセルＰ（ｉ、ｊ）が有色であれば、つまり、ステップＳ０５でＹｅｓであれば、その点を基点に４点（＝２×２）のピクセルの色情報（図４の「色」４０７の項目に相当）を取得する。つまり、Ｐ（ｉ、ｊ）の色情報の他に、右隣のＰ（ｉ＋１、ｊ）、真下のＰ（ｉ、ｊ＋１）、右斜め下のＰ（ｉ＋１、ｊ＋１）の色情報も取得する。なお、処理対象ピクセルＰ（ｉ、ｊ）が文書付地紋透かし画像１２の隅又は端であれば、取得対象のピクセルが基点を含めて４点分存在しない場合があるが、その場合は、当該ピクセルを無色のピクセルとみなす。
【００６２】
次に、（ｂ）において、色情報を取得した４点のピクセルすべてが有色であれば、その４点を囲む８点のピクセルの色情報を取得する。つまり、Ｐ（ｉ、ｊ−１）、Ｐ（ｉ＋１、ｊ−１）、Ｐ（ｉ−１、ｊ）、Ｐ（ｉ＋２、ｊ）、Ｐ（ｉ−１、ｊ＋１）、Ｐ（ｉ＋２、ｊ＋１）、Ｐ（ｉ、ｊ＋２）、Ｐ（ｉ＋１、ｊ＋２）の８点の色情報を取得する。なお、処理対象ピクセルＰ（ｉ、ｊ）が文書付地紋透かし画像１２の隅又は端であれば、取得対象のピクセルが８点分存在しない場合があるが、その場合は、当該ピクセルを無色のピクセルとみなす。もし、色情報を取得した４点のピクセルの何れかが無色であれば、基点となる処理対象ピクセルＰ（ｉ、ｊ）において（ｃ）及び（ｄ）の手順は実行しない。
【００６３】
次に、（ｃ）において、（ｂ）にて色情報を取得した８点のピクセルすべてが無色であれば、８点に囲まれた４点のピクセルを地紋点として判定する。また、（ｄ）において、（ｂ）にて色情報を取得した８点のピクセルの何れかが有色であれば、８点に囲まれた４点のピクセルを文字、図形及び罫線等の印刷内容の画像の一部として判定する。
【００６４】
なお、この判定手順は、地紋点が２×２のサイズの独立した点である（図４の地紋点パターンＱ１に相当）ので、４点のピクセルを対象としたが、地紋点のサイズが変更になった場合にはそのサイズに合わせて色情報を取得する周囲の点の数を変更すると良い。ちなみに、４隅の４点を省略して８点でのみ判定するのは、演算時間の短縮を図るためである。
【００６５】
ステップＳ０７において、ステップＳ０６にて判定された地紋点（ピクセルとしては４点分）を除去する。地紋点除去部５０５（図５参照）により、重複領域内地紋点５１３（図５参照）である地紋点を無色に置き換えることにより、除去する。除去した画像は除去後地紋透かし画像５１４（図５参照）として生成される。このような除去の後ステップＳ０８に進む。
【００６６】
ステップＳ０８において、すべてのピクセルにおいてステップＳ０４〜ステップＳ０７までの処理による判定が終了したか否かが判断される。終了していなければ（ステップＳ０８でＮｏ）、ステップＳ０３に戻り、未判定のピクセルについてステップＳ０４〜ステップＳ０８までの処理を実行する。終了していれば（ステップＳ０８でＹｅｓ）、ステップＳ０９に進む。
【００６７】
ステップＳ０９において、指定された牽制パターンに従って、牽制画像を生成する。図３の管理番号「００１」における牽制パターンＰ１に従って、牽制画像生成部５０１（図５参照）により牽制画像５１０（図５参照）が生成される。
【００６８】
次に、ステップＳ１０において、画像合成部５０６（図５参照）により画像の合成が実行される。牽制画像５１０（図５参照）及び除去後地紋透かし画像５１４（図５参照）を、各ピクセルの座標を揃えるようにして合成して合成画像５１５（図５参照）を生成する。合成画像５１５（図５参照）は１枚の印刷用の画像情報としてプリンタドライバ１１２（図２参照）を介し、プリンタ１０５（図２参照）から印刷文書として出力される。
【００６９】
６．まとめ
本実施形態の画像処理装置を実施することにより、次のような効果を奏する。つまり、１枚の印刷文書において、地紋透かしとしての効果である埋め込まれた情報の読み取り、偽造及び改竄の検出、並びに牽制効果として複写の牽制が十分に発揮にされるようになる。地紋点を除去することにより、１枚の印刷文書の画像において地紋点が施される領域と牽制点が施される領域が分けられており、牽制点と地紋点が混在している状態がなくなるからである。なお、このように地紋点を除去しても地紋透かしの機能が発揮されるのは、地紋透かしが相当量の耐性を持っており、その一部を消去しても地紋透かしの機能が損なわれないからである。本願では、このような地紋透かしの耐性を利用して、牽制文字と重なる部分の地紋点を消去することで、地紋点と牽制点（本例では消失点）が干渉することがなくなるので、牽制文字の効果を充分に発揮できるようになる。また、牽制点と地紋点が干渉しなくなることで地紋の抽出効果が保たれる。
【００７０】
また、地紋透かしの効果及び牽制の効果の両効果を備えた非常にセキュリティの高い文面又は帳票等の印刷文書を作成することができる。例えば、本発明を適応した住民票をはじめとした公文書を発行する際に従来の専用紙が持つ不正複写の検知と抑止の機能に加えて、印刷文書から文書発行時の情報を取得したり、改竄の検知、改竄箇所の特定といった、印刷文書におけるセキュリティ技術を重畳したよりセキュリティの高い公文書を作成することが可能となる。そして、このような印刷文書は、視覚的にも、セキュリティで保護された印刷物であることを利用者に明示することが可能である。
【００７１】
また、一般の紙等の印刷用媒体で済み、地紋透かし印刷又は牽制印刷を行うための専用紙を使わずに済むので、印刷用媒体にかかるコストを低減することができる。そのため、従来の専用紙からのリプレースが可能である。さらに、オンデマンド印刷により印刷文書を作成する場合には、地紋透かし又は牽制画像のデザイン及び隠し情報として付加する情報を自由に設定することが可能である。
【００７２】
また、印刷用の画像を生成するパラメータを自由に設定することが可能であるため、印刷環境に合わせた牽制画像及び地紋透かし画像を生成することが可能である（図３の牽制情報記憶部１１４、図４の地紋情報記憶部１１５参照）。
【００７３】
地紋点は、印刷時等において欠落した地紋点をチェックするために用いられる点も含まれており、本発明のように一部除去されても地紋透かしの効果が損なわれることはない（詳細は、特許文献１参照）。そのため、偽造及び改竄の防止といった印刷文書のセキュリティは保障されている。
【００７４】
なお、上記実施形態は、本発明の画像処理装置を実施するための最良のものであるが、かかる実施形式に限定する趣旨ではない。従って、本発明の要旨を変更しない範囲内においてその実施形式を種々変形することが可能である。
【００７５】
例えば、上記実施形態は、画像処理部１１３における一連の処理において、地紋情報に文書情報を合わせた文書付地紋情報として取り扱い、地紋透かし画像に印刷内容が含まれた文書付地紋透かし画像に対して地紋点の除去等の処理を実行するようにした。しかし、地紋情報単独で取り扱い、同様の処理を行っても良い。つまり、印刷内容の存在しない地紋透かし画像に対しても地紋点の除去の処理を行うことは可能である。
【００７６】
また、例えば、上記実施形態において、牽制画像に用いられる牽制点を消失点のみで構成することとしたが、すでに説明したように牽制点を消失点及び残存点で構成してもよい。すなわち、本発明を適用した地紋透かし画像と牽制画像を合成した画像から印刷出力される印刷文書において、コピー機で複写したときに牽制の模様を不可視化したり、可視化したりすることが可能である。
【００７７】
また、例えば、上記実施形態において、除去対象となる地紋点はすべて除去するのではなく、牽制の効果及び地紋透かしの効果が損なわれない程度において、一部間引くように除去しても良い。
【００７８】
また、例えば、上記実施形態において、ピクセル単位の画像情報としての地紋透かし画像情報、及びピクセル単位の画像情報としての牽制デザイン画像情報を記憶する記憶部（図２の牽制情報記憶部１１４、地紋情報記憶部１１５参照）と、情報処理を行う処理部とを備えたコンピュータを、画像処理装置として機能させる画像処理プログラムであって、前記処理部に、前記記憶部から、前記地紋透かし画像情報、及び前記牽制デザイン画像情報を読み出させる処理と、前記読み出させた地紋透かし画像情報における基準となるピクセル、及び前記読み出せた牽制デザイン画像情報における基準となるピクセルを、それぞれ基準点として決定させる処理（図６のステップＳ０２参照）と、前記基準点を起点に各ピクセルを走査し、プリンタにて印刷されるピクセルが、前記地紋透かし画像情報、及び前記牽制デザイン画像情報にて前記基準点を基準とした同じ位置に重複して存在するか否かを判定する処理（図６のステップＳ０４参照）と、前記重複して印刷されるピクセルが同じ位置に存在するときは、当該ピクセルを着目ピクセルとして、地紋透かし画像情報における当該着目ピクセルの近隣のピクセルを調べ、当該着目ピクセルが地紋点の一部であるか否か、及び当該着目ピクセルを含む地紋点を構成する一纏まりの複数のピクセルであるか否かを判定する処理（図６のステップＳ０６参照）と、前記判定にて地紋点とされた一纏まりの複数のピクセルを、プリンタには印刷されないピクセルとする処理（図６のステップＳ０７参照）と、を実行させて、前記地紋透かし画像情報を修正させ、前記走査が終了すると、前記基準点に基づいて前記修正した地紋透かし画像情報、及び牽制デザイン画像情報を合成した印刷用の画像情報を生成させる処理（図６のステップＳ０１０参照）と、を実行させることを特徴とする画像処理プログラムとしても良い。
また、上記画像処理プログラムにおいて、前記地紋透かし画像情報を修正させる場合、前記走査が終了した時に、前記地紋点とされた一纏まりの複数のピクセルを、まとめて前記プリンタには印刷されないピクセルとする処理を実行させても良い。このように処理することで、処理回数を低減することができ、処理速度を向上させることができる。
【図面の簡単な説明】
【００７９】
【図１】本実施形態の画像処理装置により生成される印刷文書の作成手順について図示したものである。
【図２】本実施形態の画像処理装置としてのＰＣ本体の内部構成及びその周辺装置について図示したものである。
【図３】牽制情報記憶部１１４に記憶されている牽制情報の構造を表として図示したものである。
【図４】地紋情報記憶部１１５に記憶されている地紋情報の構造を表として図示したものである。
【図５】画像処理部１１３の機能構成をブロック図として図示したものである。
【図６】画像処理部１１３における処理動作をフローチャートとして図示したものである。
【図７】文書付地紋透かし画像が生成される様子を図示したものである。
【図８】牽制デザインと文書付地紋透かし画像の座標を合わせる様子を図示したものである。
【図９】重ね合わせ画像１８における文書付地紋透かし画像１２上で処理対象ピクセルＰ（ｉ、ｊ）が決定される様子を図示したものである。
【図１０】文書付地紋透かし画像１２に牽制デザイン１１を重ね合わせた重ね合わせ画像１８の斜視図である。
【図１１】図１０の重ね合わせ画像１８を矢印の方向から見たものであり、（ａ）は、その全体を図示したものであり、（ｂ）は、（ａ）の太枠部分を拡大表示したものを図示したものである。
【図１２】処理対象ピクセルが地紋点の一部であるか否かを判定するための判定手順について図示したものである。
【符号の説明】
【００８０】
１１  牽制デザイン
１２  文書付地紋透かし画像
１３  牽制画像
１４  除去後地紋透かし画像
１５  合成画像
１６  文書画像
１７  地紋透かし画像
１８  重ね合わせ画像
１０１  ＰＣ本体
１０２  キーボード
１０３  マウス
１０４  ディスプレイ
１０５  プリンタ
１０６  Ｉ／Ｆ部
１０７  ＲＯＭ
１０８  ＲＡＭ
１０９  ＣＰＵ
１１０  メモリ
１１１  ＯＳ
１１２  プリンタドライバ
１１３  画像処理部
１１４  牽制情報記憶部
１１５  地紋情報記憶部
１１６  文書情報記憶部
３０１  管理番号
３０２  牽制デザイン
３０３  保存形式
３０４  変換条件
３０５  解像度
３０６  色
３０７  ファイル形式
３０８  変換箇所数
３０９  編集範囲
３１０  牽制点パターン
４０１  管理番号
４０２  地紋透かし画像
４０３  埋め込み情報
４０４  保存形式
４０５  埋め込み条件
４０６  解像度
４０７  色
４０８  ファイル形式
４０９  情報埋め込み領域
４１０  地紋点パターン
５０１  牽制画像生成部
５０２  重複領域特定部
５０３  文書付地紋情報生成部
５０４  地紋点判定部
５０５  地紋点除去部
５０６  画像合成部
５０７  牽制情報
５０８  地紋情報
５０９  文書情報
５１０  牽制画像
５１１  重複領域
５１２  文書付地紋情報
５１３  重複領域内地紋点
５１４  除去後地紋透かし画像
５１５  合成画像
【図１】
2008244699.tif 000003
【図２】
2008244699.tif 000004
【図３】
2008244699.tif 000005
【図４】
2008244699.tif 000006
【図５】
2008244699.tif 000007
【図６】
2008244699.tif 000008
【図７】
2008244699.tif 000009
【図８】
2008244699.tif 000010
【図９】
2008244699.tif 000011
【図１０】
2008244699.tif 000012
【図１１】
2008244699.tif 000013
【図１２】
2008244699.tif 000014